(57)【要約】【課題】一つのワイヤロック装置により前面枠および意匠枠の不正な開放を規制して不正行為を効果的に防止すること。【解決手段】外枠１に対して開閉可能の前面枠２と、前面枠２に対して開閉可能の意匠枠３とを、前面枠２に設けられた施錠装置４により外枠１と前面枠２、および前面枠２と意匠枠３とをそれぞれ施錠せしめる弾球遊技機において、ワイヤロック装置６のワイヤ巻取機構部６０を外枠１又は外枠１よりも後方の遊技施設の島設備Ｓに設置し、前記機構部６０から前方へ引き出したワイヤ６１の前端を滑車６２に巻き回して、意匠枠３を開錠する施錠装置４の作動部材４３の作動方向に沿って方向転換せしめて作動部材４３に連結せしめ、ワイヤ６１の張力により、作動部材４３の作動を阻止して意匠枠３の開錠を規制するとともに、前面枠の開放移動を規制するようになした。【選択図】        図２
2011255169.tif 000002
【特許請求の範囲】
【請求項１】
外枠と、該外枠の前面に開閉可能に設けられた前面枠と、該前面枠の前面に設けられ、前記前面枠と同一方向に開閉可能の意匠枠とを備え、前記前面枠の開放端に設けられた施錠装置により前記外枠と前記前面枠の開放端、および前記前面枠と前記意匠枠の開放端とをそれぞれ個別に施錠、開錠可能の弾球遊技機において、
前記施錠装置は、前記意匠枠を開錠せしめる作動部材を有し、
前記前面枠よりも後方位置で前記外枠又は前記外枠を保持する遊技施設の島設備側に設置固定されたワイヤ巻取機構部と、
該ワイヤ巻取機構部により巻取り可能に設けられたワイヤと、
前記外枠に設けられ、前記ワイヤ巻取機構から前方へ引き出した前記ワイヤを巻き回して前記ワイヤの前端を前記作動部材の前記意匠枠を開錠する作動方向に沿って方向転換せしめる滑車とを備え、
前記ワイヤ巻取機構部から前方へ引き出した前記ワイヤの前端を、前記滑車を介してほぼ直角ないしはそれ以上に曲げて前記作動部材の前記作動方向へ方向転換せしめて作動部材と連結せしめ、前記施錠装置を介して前記前面枠と前記外枠又は前記遊技施設の島設備側との間に前記ワイヤを架設するようになし、前記ワイヤ巻取機構部により巻取られた前記ワイヤの張力により前記作動部材の作動を阻止して前記意匠枠の開錠を規制するとともに、前記前面枠と前記外枠又は前記遊技施設の島設備側との間で前面枠の開放移動を規制するワイヤロック装置を設けたことを特徴とする弾球遊技機の不正行為防止構造。
【請求項２】
請求項１に記載の弾球遊技機の不正行為防止構造において、
前記施錠装置は、これが設置された前記前面枠の開放端より前方へ突出し、前記意匠枠の開放端に係合せしめて意匠枠を施錠する前側フックと、
前記前面枠の開放端より後方へ突出して前記外枠に係合せしめて前面枠を施錠する後側フックと、
前記前面枠の開放端に沿って上下方向に作動可能に設けられた前記作動部材を備え、
前記意匠枠を開放するための開錠操作により前記作動部材を上方又は下方のいずれか一方の作動方向に作動せしめて前記前側フックの係合を解除せしめる一方、前記前面枠を開放するための開錠操作により前記作動部材が前記一方の作動方向とは逆方向に作動して前記後側フックの係合を解除せしめる構成とされ、
前記ワイヤ巻取機構部から前方へ引き出した前記ワイヤの前端を、前記滑車により前記作動部材の前記一方の作動方向へ方向転換せしめて作動部材と連結せしめた弾球遊技機の不正行為防止構造。
【請求項３】
請求項１又は２に記載の弾球遊技機の不正行為防止構造において、
前記ワイヤ巻取機構を前記外枠に設置固定せしめるとともに、
遊技を司る弾球遊技機の制御装置に、前記ワイヤ巻取機構を制御する制御手段を設け、該制御手段により前記ワイヤ巻取機構を制御せしめるようになした弾球遊技機の不正行為防止構造。
【発明の詳細な説明】
【技術分野】
【０００１】
本発明は弾球遊技機の不正防止構造、特に前面枠および意匠枠の不正な開放を規制する不正行為防止構造に関する。
【背景技術】
【０００２】
一般に弾球遊技機には、図１に示すように、外枠１の前面側に遊技盤や電子制御装置類を支持する前面枠２が開閉可能に設けられ、さらに前面枠２の前面に前記遊技盤の前面を覆う意匠枠３が開閉可能に設けられている。
前面枠２および意匠枠３は側端２ａ，３ａがヒンジ部材５で結合されて両枠２，３が同方向に開閉するように構成されている。そして前面枠２の開放端側の側端２ｂに設けた施錠装置４により、前面枠２と外枠１および前面枠２と意匠枠３とを施錠するように構成されている。
【０００３】
図９は従来の代表的な施錠装置４の単体の側面図を示す。尚、施錠装置４は前面枠の開錠と意匠枠の開錠とを個別に行う構成で、図９（ａ）は意匠枠の開錠作動を、図９（ｂ）は前面枠の開錠作動を示す。
施錠装置４は、シリンダ錠４５を有する縦長のベース部４０に、前方へ突出する前側フック４１ａ，４１ｂと、後方へ突出する複数の後側フック４２ａ，４２ｂを備え、前側フック４１ａ，４１ｂが意匠枠に係脱可能に係合して前面枠と意匠枠とを施錠するとともに、後側フック４２ａ，４２ｂが外枠に係脱可能に係合して前面枠と外枠とを施錠する。
そして施錠装置４は、ベース部４０のほぼ全長に沿って上下方向に延びる作動部材４３が設けられ、シリンダ錠４５に挿したキー４５１を回転操作することで作動部材４３が上下方向にスライド作動するように構成されている。
図９（ａ）に示すようにキー４５１を一方の回転方向（矢印ｅ方向）へ操作することで作動部材４３が下方へ作動し、これにより前側フック４１ａ，４１ｂが下方の係合解除位置（仮想線）へ作動して意匠枠を開錠する。
一方、図９（ｂ）に示すようにキー４５１を他方の回転方向（矢印ｆ方向）へ操作することで作動部材４３が上方へ作動し、これにより後側フック４２ａ，４２ｂが上方の係合解除位置（仮想線）へ作動して前面枠を開錠する。
【０００４】
ところで近年、外枠と前面枠の隙間から不正な工具を挿入して施錠装置４の作動部材４３を不正に作動せしめて前面枠を開放し、電子制御装置に対して不正な処置を行う不正行為が多発しており、この種の不正行為を防止するため、従来では弾球遊技機に施錠装置とは別に前面枠の開放を規制するためのワイヤロック装置を設けることが提案されている（例えば特許文献１参照）。
前記ワイヤロック装置は、ワイヤ巻取機構から引き出したワイヤの端末を施錠装置の作動部材に連結して、ワイヤの張力により前面枠を開錠する方向への作動部材の作動を規制して不正に前面枠が開放されること防止している。
【先行技術文献】
【特許文献】
【０００５】
【特許文献１】特開２００２−１８０７９号公報
【発明の概要】
【発明が解決しようとする課題】
【０００６】
しかしながら従来のワイヤロック装置により前面枠の不正な開放を規制するだけでは不正行為防止効果が十分とは言えず、前面枠の開錠を規制しても意匠枠が開錠されるおそれがあり、意匠枠が開放されると遊技盤の釘曲げなどの不正行為が行われるおそれがある。
ワイヤロック装置を２つ設けて前面枠および意匠枠を個別に規制することも考えられるが、ワイヤロック装置の設置スペースの確保やコスト増の問題が生じる。
そこで本発明は、一つのワイヤロック装置により前面枠および意匠枠の不正な開放を効率よく規制することができ、もって不正行為を効果的に防止する弾球遊技機の不正防止構造を実現することを課題としてなされたものである。
【課題を解決するための手段】
【０００７】
請求項１に記載の発明は、
外枠と、該外枠の前面に開閉可能に設けられた前面枠と、該前面枠の前面に設けられ、前記前面枠と同一方向に開閉可能の意匠枠とを備え、前記前面枠の開放端に設けられた施錠装置により前記外枠と前記前面枠の開放端、および前記前面枠と前記意匠枠の開放端とをそれぞれ個別に施錠、開錠可能の弾球遊技機において、
前記施錠装置は、前記意匠枠を開錠せしめる作動部材を有し、
前記前面枠よりも後方位置で前記外枠又は前記外枠を保持する遊技施設の島設備側に設置固定されたワイヤ巻取機構部と、
該ワイヤ巻取機構部により巻取り可能に設けられたワイヤと、
前記外枠に設けられ、前記ワイヤ巻取機構から前方へ引き出した前記ワイヤを巻き回して前記ワイヤの前端を前記作動部材の前記意匠枠を開錠する作動方向に沿って方向転換せしめる滑車とを備え、
前記ワイヤ巻取機構部から前方へ引き出した前記ワイヤの前端を、前記滑車を介してほぼ直角ないしはそれ以上に曲げて前記作動部材の前記作動方向へ方向転換せしめて作動部材と連結せしめ、前記施錠装置を介して前記前面枠と前記外枠又は前記遊技施設の島設備側との間に前記ワイヤを架設するようになし、前記ワイヤ巻取機構部により巻取られた前記ワイヤの張力により前記作動部材の作動を阻止して前記意匠枠の開錠を規制するとともに、前記前面枠と前記外枠又は前記遊技施設の島設備側との間で前面枠の開放移動を規制するワイヤロック装置を設ける。
【０００８】
請求項１の発明によれば、不正行為により意匠枠を開錠しようとしてもワイヤロック装置のワイヤの張力により作動部材が作動せず意匠枠の開錠を規制することができる。一方、不正行為により前面枠が開錠されても前面枠を開こうとするとワイヤが張って前面枠の開放を規制する。従って、一つのワイヤロック装置により前面枠および意匠枠が不正に開放されることを防ぎ、制御装置への不正処理や釘曲げといった不正行為を確実に防止することができる。
また意匠枠の開錠規制時に、ワイヤの張力が滑車およびワイヤと作動部材との連結部に掛かるが、滑車を外枠に設けたのでワイヤの張力に対する施錠装置の荷重負担を軽減できる。またワイヤの前端を滑車を介してほぼ直角ないしはそれ以上に曲げることでワイヤを確実に滑車に掛けることができ、滑車の荷重負担を増やし、その分、ワイヤ連結部の荷重負担を軽減できる。
【０００９】
請求項２に記載の発明は、
請求項１に記載の弾球遊技機の不正行為防止構造において、
前記施錠装置は、これが設置された前記前面枠の開放端より前方へ突出し、前記意匠枠の開放端に係合せしめて意匠枠を施錠する前側フックと、
前記前面枠の開放端より後方へ突出して前記外枠に係合せしめて前面枠を施錠する後側フックと、
前記前面枠の開放端に沿って上下方向に作動可能に設けられた前記作動部材を備え、
前記意匠枠を開放するための開錠操作により前記作動部材を上方又は下方のいずれか一方の作動方向に作動せしめて前記前側フックの係合を解除せしめる一方、前記前面枠を開放するための開錠操作により前記作動部材が前記一方の作動方向とは逆方向に作動して前記後側フックの係合を解除せしめる構成とされ、
前記ワイヤ巻取機構部から前方へ引き出した前記ワイヤの前端を、前記滑車により前記作動部材の意匠枠開錠作動方向へ方向転換せしめて作動部材と連結せしめる。
【００１０】
請求項２の発明によれば、作動部材を相対方向に作動せしめて前面枠の開錠および意匠枠の開錠を行う施錠装置において、一つのワイヤロック装置により意匠枠の開錠と前面枠の開放移動とを好適に規制することができる。
【００１１】
請求項３に記載の発明は、
請求項１又は２のいずれかに記載の弾球遊技機の不正行為防止構造において、
前記ワイヤ巻取機構を前記外枠に設置固定せしめるとともに、
遊技を司る弾球遊技機の制御装置に、前記ワイヤ巻取機構を制御する制御手段を設け、該制御手段により前記ワイヤ巻取機構を制御せしめるように構成する。
【００１２】
請求項３の発明によれば、遊技施設の島設備側においてワイヤロック装置用の制御手段等の準備が不要である。
【図面の簡単な説明】
【００１３】
【図１】本発明を適用した第１の実施形態と本実施形態に関連する弾球遊技機の外枠、前面枠および意匠枠を示す概略斜視図である。
【図２】前記第１の実施形態の概略側面図である。
【図３】前記第１の実施形態の要部斜視図である。
【図４】図２に対応して本発明の第２の実施形態を示す概略側面図である。
【図５】図２に対応して本発明の第３の実施形態を示す概略側面図である。
【図６】図２に対応して本発明の第４の実施形態を示す概略側面図である。
【図７】図２に対応して本発明の第５の実施形態を示す概略側面図である。
【図８】前記第５の実施形態を適用した弾球遊技機の電気構成図である。
【図９】弾球遊技機に用いられる代表的な施錠装置を示すもので、図９（ａ）は意匠枠の開錠作動を示す概略側面図、図９（ｂ）は前面枠の開錠作動を示す概略側面図である。
【発明を実施するための形態】
【００１４】
本発明の第１の実施形態を説明する。図１、図２に示すように、本実施形態を適用した弾球遊技機たるパチンコ機Ｐは、従来構造と同様に外枠１、前面枠２および意匠枠３で構成されている。外枠１は縦長の矩形状でその前面側に前面枠２が設けられている。前面枠２は一方の側端２ａ（図１の左側）の上端および下端がヒンジ部材５，５により外枠１に結合され、水平方向に開閉可能である。図略ではあるが、前面枠２には前側に遊技盤が設置され、遊技盤の背面側に電子制御装置などが設置される。
【００１５】
意匠枠３は、前面枠２の前面を覆うように設けられ、前面枠２同様に一方の側端３ａが上下のヒンジ部材５，５により水平方向に開閉可能に設けられている。意匠枠３には図略のガラス板が嵌め込まれ、該ガラス板で前面枠２の遊技盤の前面を覆うとともに、遊技者がガラス板を通して遊技盤と対面するようにしてある。また、意匠枠３にはその前面下部に遊技盤へ発射する遊技球を貯留する上皿、下皿および遊技球の遊技盤への発射を操作する発射ハンドル等が設けられている。
【００１６】
前面枠２には、その開放端側の他方の側端２ｂに上下方向に沿う施錠装置４が設置され、施錠装置４により前面枠２の他方の側端２ｂを外枠１に施錠するとともに、前面枠２の他方の側端２ｂに意匠枠３の開放端側の他方の側端３ｂを施錠せしめるようにしてある。
パチンコ機Ｐは、外枠１を遊技施設の島設備Ｓに固定することで遊技施設に設置される。そしてパチンコ機Ｐの裏面側で操作が必要なときには施錠装置４を開錠し前面枠２を開放して裏面側での作業を行う一方、遊技盤の前面で球詰り解消などの操作が必要なときには施錠装置４を開錠し意匠枠３を開放して前面枠２の前面側の作業を行うようにしてある。
【００１７】
施錠装置４は、図１、図２および図９に示すように、従来構造と同様な構成で、前面枠２の他方の側端２ｂに沿うように縦方向に延びるベース部４０が設けられている。ベース部４０には、前方へ突出して意匠枠３の他方の側端３ｂの係合部３１（図１）に係脱可能に係合せしめる前側フック４１ａ，４１ｂと、後方へ突出して外枠１の係合部１１（図１）に係脱可能に係合せしめる後側フック４２ａ，４２ｂとが保持せしめてある。更に、施錠装置４にはベース部４０の前面にシリンダ錠４５と、その開錠操作によりベース部４０に沿って上下方向にスライド移動する作動部材４３が設けられている。作動部材４３はベース部４０のほぼ全長に渡って設けられ、ベース部４０との間には、図略ではあるが作動部材４３を上方へ付勢するバネ部材と、作動部材４３を下方へ付勢するバネ部材とがそれぞれ個別に設けられ、作動部材４３は両バネ部材の付勢力により、通常、上下中間の中立位置に保持される。
【００１８】
前側フック４１ａ，４１ｂおよび後側フック４２ａ、４２ｂはそれぞれ作動部材４３と連結されている。そして、シリンダ錠４５に挿したキー４５１を一方の回転方向（図９（ａ）の矢印ｅ方向）へ操作することで作動部材４３が下方へスライド作動し、これに連動して前側フック４１ａ，４１ｂが下側の係合解除位置（図９（ａ）の仮想線）に作動して意匠枠を開錠する。フック４１ａは下側へスライドして係合解除位置となり、４１ｂは下側へ揺動して係合解除位置となる。
一方、キー４５１を他方の回転方向（図９（ｂ）の矢印ｆ方向）へ操作することで作動部材４３が上方へスライド作動し、これに連動して後側フック４２ａ，４２ｂが上側の係合解除位置（図９（ｂ）の仮想線）に作動して前面枠を開錠する。フック４２ａは上側へスライドすることで、フック４２ｂは下側へ揺動して係合解除位置となる。
【００１９】
各フック４１ａ，４１ｂ，４２ａ，４２ｂの作動部材４３への連結部は、例えば、フック側に設けた連結ピンを作動部材４３の上下の作動方向に沿って縦長としたスリットに嵌入せしめるなどして、作動部材４３の一方の作動に対応して係合解除位置に移動するが作動部材４３の他方への作動には対応しないようにしている。即ち、前側フック４１ａ，４１ｂを開錠するために作動部材４３の下方へ作動させても後側フック４２ａ，４２ｂは動かず（図９（ａ））、後側フック４２ａ，４２ｂを開錠するために作動部材４３の下方へ作動させても前側フック４１ａ，４１ｂは動かないようにしてある（図９（ｂ））。
【００２０】
図１ないし図３に示すように、パチンコ機Ｐには、不正に前面枠２および意匠枠３が開放されることを防止するため、前面枠２の施錠装置４と遊技施設の島設備Ｓとの間にワイヤ６１を架設するワイヤロック装置６が設けてある。
ワイヤロック装置６は、ワイヤ６１と、ワイヤ６１を巻取るワイヤ巻取機構部６０と、該ワイヤ巻取機構部６０から引き出されたワイヤ６１を巻き回してワイヤ６１の端末を所定の方向に方向転換せしめる滑車６２とで構成されている。
【００２１】
ワイヤ６１は細いフレキシブルな金属製ワイヤで構成される。
ワイヤ巻取機構部６０は、金属製または樹脂製のケースの内部に、ワイヤ６１を巻取る円盤状のリール６４と、該リール６４を回転駆動せしめる図略の電動モータおよびモータ制御回路等が設けられ、リール６４の回転によりワイヤ６１をケース前面の開口よりケース内に巻取る構成である。リール６４は、電動モータ停止時、ブレーキ機構により回転位置が保持され、ワイヤ６１を巻取り状態にロックする。
そして前記ブレーキ機構を解除することで、ワイヤ６１をワイヤ巻取機構部６０より前方へ引き出すことが可能である。尚、ワイヤ巻取機構部６０は、遊技施設の従業員によるリモコンでの遠隔操作や、遊技施設のホールコンピュータからの指令によってワイヤ巻取り動作やワイヤのロックの解除が実行される。
【００２２】
ワイヤ巻取機構部６０は、外枠1の後方の島設備Ｓに設置固定されている。ワイヤ巻取機構部６０の設置位置は、施錠装置４が設置された前面枠２の他方の側端２ｂの下端に対応する位置であり、前方へワイヤ６１を引き出し可能に固定されている。
【００２３】
ワイヤ巻取機構部６０に対応して、施錠装置４にはその下端寄りの位置に滑車６２が設置されている。図３に示すように、施錠装置４の下端寄りの位置には、ベース部４０にシリンダ錠４５を設けた幅広部４０１が形成してあり、該幅広部４０１にはその側縁から後方へ延びる縦壁４０２が形成されている。そして縦壁４０２の上下中間位置に滑車６２が設けられている。
滑車６２は金属製の円盤体で周縁にワイヤ６１を巻き回す凹部を有する。滑車６２は中心の支軸６２１により縦壁４０２に回転可能に軸支されている。
【００２４】
ベース部４０の幅広部４０１において、作動部材４３には幅広部４０１に連結されたシリンダ錠４５の後端を避けて凸状の屈曲部４３１が形成してある。そして作動部材４３はその屈曲部４３１がシリンダ錠４５の後端の作動レバー４６と連結され、シリンダ錠４５の操作で上下に揺動する作動レバー４６の作動が伝達されて作動部材４３が上下方向にスライド作動する。
【００２５】
図１ないし図３に示すように、ワイヤロック装置６はワイヤ巻取機構部６０から前方へ引出したワイヤ６１を滑車６２に巻き回してワイヤ６１の前端を下方へほぼ直角ないしはそれ以上に曲げて方向転換せしめ、下方へ向けたワイヤ６１の端末が作動部材４３の屈曲部４３１に連結(連結部６５)せしめてある。連結部６５では、ワイヤ６１の端末を折り返してループ部状に形成し、該ループ部にねじ部材を貫通させ、ねじ部材を作動部材に４３に締結してワイヤ６１の端末を作動部材４３に連結している。尚、ワイヤ６１を作動部材４３に連結した連結部と滑車６２との距離はできるだけ短くすることが望ましい。
【００２６】
ワイヤロック装置６は、前面枠２および意匠枠３が閉じられ施錠された時にワイヤ６１を巻取り、この状態でリール６４の回転を規制してワイヤをロックする。
本実施形態のワイヤロック装置６によれば、不正に入手したキー４５１等でシリンダ錠４５を操作して不正に意匠枠３を開錠しようとしたり、前面枠２と意匠枠３の隙間から不正な工具を挿入して施錠装置４の前側フック４１ａ，４１ｂを不正に係合解除させようとしても、施錠装置４の作動部材４３は、ワイヤロック装置６のワイヤ６１の張力により下方へのスライド作動が規制されるので、意匠枠３の不正な開錠を防ぎ、意匠枠３が開放されることを防いで、釘曲げ等の不正行為を確実に防止することができる。
【００２７】
一方、前面枠２側では、不正に入手したキー４５１による開錠操作や外枠１と前面枠２の隙間から不正な工具により作動部材４３を不正に上方へスライド作動させて開錠されるおそれがあるが、開錠されても、前面枠２はその開放端（他方の側端２b）が施錠装置４を介してワイヤロック装置６のワイヤ６１が連結されているので、前面枠２を開こうとしてもワイヤ６１が張って前面枠２の開放が規制され、電子制御装置に対して不正な処置などを行う不正行為を確実に防止することができる。
従って、一つのワイヤロック装置６により、前面枠２および意匠枠３のいずれの不正開放をも効率よく規制することができ、コスト面でも低コストで済む。
【００２８】
また本実施形態によれば、滑車６２を前面枠２側に設けたので、前面枠２の開放規制時に、ワイヤ６１の張力をワイヤ６１の端末が連結された作動部材４３の連結部６５および滑車６２を設けたベース部４０の２個所で受けるので、荷重を分散させることができ各部の荷重負担を軽減できる。
また滑車６２によりワイヤ６１の前端をほぼ直角ないしはそれ以上に屈曲せしめて方向転換し、作動部材４３に連結せしめたので、ワイヤ６１を確実に滑車６２に掛けることができ、これにより滑車６２側の荷重負担を増やし、その分、ワイヤ６１が連結された作動部材４３側の荷重負担を軽減できる。
【００２９】
本発明の第２の実施形態として、図４に示すように、滑車６２が施錠装置４のベース部４０の上下中間位置で前記縦壁４０２(図３)と同様に後方へ延びる縦壁部４０３に設けられ、施錠装置４の下端に対応する島設備の低位置に設置されたワイヤ巻取機構部６０から前斜め上方へ引き出したワイヤ６１の前端を、滑車６２に巻き回して下方へ方向転換せしめ、下方へ向けたワイヤ６１の端末を作動部材４３の上下中間位置に連結(連結部６５)せしめる構成とした。
【００３０】
また図は省略したが、施錠装置４の上下中間位置に設けられた滑車およびワイヤ連結部６５に対応して、ワイヤ巻取機構部を前記島設備の上下中間位置に設置してもよい。
【００３１】
第３の実施形態として、図５に示すように、滑車６２が施錠装置４のベース部４０の上端寄りの位置で前記縦壁部４０３に設けられ、施錠装置４の上端に対応する島設備の高位置に設置されたワイヤ巻取機構部６０から前方へ引き出したワイヤ６１の前端を、滑車６２に巻き回して下方へ方向転換せしめ、下方へ向けたワイヤ６１の端末を作動部材４３の上端寄りの位置に連結(連結部６５)せしめる構成とした。
【００３２】
ワイヤ巻取機構部６０は前記島設備への取付け位置が遊技施設によって下方位置であったり上方位置であったり様々である。また滑車６２や作動部材４３とワイヤ６１との連結部６５の位置は、ワイヤ巻取機構部６０の取付け位置に対応する上下位置に設けることが望ましい。しかし滑車６２の位置や連結部６５の位置は遊技施設側で変更することは困難である。
そこで第４の実施形態として、図６に示すように、施錠装置４のベース部４０の上端寄りの位置で前記縦壁部４０３と、前記縦壁４０２にそれぞれ２つの滑車６２，６２を設けるとともに、各滑車６２に、６２に応じて作動部材４３の上下位置にそれぞれ２つの連結部６５，６５を設ける構成とした。
【００３３】
これによれば、遊技施設において、ワイヤ巻取機構部６０が上下どの位置に取付けられてもパチンコ機側は変更せずにすむ。またワイヤ巻取機構部６０が上下中間位置の場合は、ワイヤ６１の曲角を直角以上にする観点から、上方の滑車６２および連結部６５を用いることが望ましい。
【００３４】
前記第１ないし第４の実施形態では滑車６２を施錠装置４のベース部４０に設置したが、これに限らず、滑車６２を外枠１の枠内面に設ける構成としてもよい。この場合、滑車６２は、ワイヤ６１と施錠装置４の作動部材４３との連結部６５の斜め上方かつ後方位置で、前記連結部に近い位置に設けることが望ましい。
意匠枠３の開錠を規制するときに、ワイヤ６１の張力に対する施錠装置４側の荷重負担を軽減できる。更に滑車と作動部材の連結部との間でワイヤが前下がりの傾斜姿勢となり、この傾斜姿勢のワイヤにより確実に意匠枠３の開錠を規制できる。
【００３５】
図７はワイヤロック装置６のワイヤ巻取機構部６０を外枠１に設置固定せしめた本発明の第５の実施形態を示す。基本構造は前記第１の実施形態のそれとほぼ同じで、図において同一部材を同一符合で示す。
ワイヤ巻取機構部６０は、施錠装置４および前面枠２の他方の側端２ｂの下端に対応する位置で外枠１の内面に設置固定されている。そしてワイヤ巻取機構部６０から前方へ引出したワイヤ６１を施錠装置４の下端寄りの位置に設置された滑車６２に巻き回し、ワイヤ６１の前端を下方へほぼ直角ないしはそれ以上に曲げて方向転換せしめ、下方へ向けたワイヤ６１の端末が作動部材４３に連結(連結部６５)せしめてある。
【００３６】
本実施形態によれば、前記第１の実施形態と同様の作用効果が得られる上、ワイヤ６１の全長を短くでき、その分、ワイヤ６１の伸長率が小さくなって、より確実に意匠枠３の開錠規制、前面枠２の開放規制を行うことができる。
【００３７】
本実施形態において、前記第１の実施形態の他の構成（図４，図５参照）と同様、滑車６２およびワイヤ６１と作動部材４３との連結部６５を施錠装置４の上下中間位置に設けるとともに、これらに対応してワイヤ巻取機構部６０を外枠１の上下中間位置に設けてもよい。更に滑車６２および前記連結部６５を施錠装置４の上端寄りの位置に設けるとともに、これらに対応してワイヤ巻取機構部６０を外枠１の上端寄りの位置に設けてもよい。
【００３８】
また本実施形態では、遊技施設側のホールコンピュータ等によりワイヤ巻取機構部６０を制御させるようにしてもよいが、ワイヤ巻取機構部６０を外枠１に設けたので、パチンコ機の制御装置によりワイヤ巻取機構部６０を、機外へ配線することなく、巻取り制御させることができる。
図８に示すように、遊技の制御を司る主制御装置８０と演出中継端子板を介して接続されたサブ統合制御装置(サブ制御装置)８３に、遊技施設の従業員が操作するリモコンの受信部６６を設け、受信した信号に基づいてサブ統合制御装置８３によりワイヤ巻取機構部６０を制御せしめる構成とする。サブ統合制御装置８３は特許請求の範囲に記載の制御手段に相当する。
尚、図８中、８１は主制御装置８０からの指示により賞球や貸し球等を払い出す払出制御装置、８４は遊技盤に遊技球を発射する発射制御装置、８２はサブ統合制御装置８３からの指示により演出図柄表示装置に演出図柄を表示制御せしめる演出図柄制御装置である。
またサブ統合制御装置８３に限らず主制御装置８０でワイヤ巻取機構部６０を制御するようにしてもよい。
【００３９】
本発明は前記各実施形態の構成に限定されるものではなく、本発明の要旨を逸脱しない範囲でさまざまに実行できることは勿論である。例えば前記実施形態では施錠装置４の作動部材４３は下方へスライド作動して意匠枠３を開錠する一方、上方へスライド作動して前面枠２を開錠する構成であるが、これに限らず、作動部材を上方へスライド作動して意匠枠を開錠する一方、下方へスライド作動して前面枠を開錠する施錠装置に適用してもよい。この場合はワイヤの前端は滑車に巻き回して上方へ方向転換せしめワイヤの端末を作動部材に連結する。
【符号の説明】
【００４０】
Ｐ  パチンコ機（弾球遊技機）
１  外枠
２  前面枠
２ｂ  前面枠の他方の側端（開放端）
３  意匠枠
３ｂ  意匠枠の他方の側端（開放端）
４  施錠装置
４０  ベース部
４１ａ，４１ｂ  前側フック
４２ａ，４２ｂ  後側フック
４３  作動部材
６  ワイヤロック装置
６０  ワイヤ巻取機構部
６１  ワイヤ
６２  滑車
８３  サブ統合制御装置８３(制御手段)
Ｓ  島設備
【図１】
2011255169.tif 000003
【図２】
2011255169.tif 000004
【図３】
2011255169.tif 000005
【図４】
2011255169.tif 000006
【図５】
2011255169.tif 000007
【図６】
2011255169.tif 000008
【図７】
2011255169.tif 000009
【図８】
2011255169.tif 000010
【図９】
2011255169.tif 000011